(57)【要約】【課題】閉鎖状態におけるガラス扉のガタツキを防止したパチンコ機を提供する。【解決手段】本発明に係るパチンコ機ＰＭは、遊技盤を収容保持する前枠２と、前枠２の前面側に揺動開閉可能に取り付けられ、閉鎖状態において遊技盤を視認可能なガラス扉と、ガラス扉を前枠２に対し閉鎖状態で施錠可能な施錠装置５０と、ガラス扉が前枠２に対し閉鎖されるとガラス扉に当接し、閉鎖状態のガラス扉に対してガラス扉が開放する方向へ付勢力を加えるように構成された付勢部材７０とを備え、施錠装置５０の基枠体５１における第２フック部６５の近傍に、付勢部材７０が配設されている。【選択図】図６
2007089798.tif 000002
【特許請求の範囲】
【請求項１】
遊技盤を収容保持する前枠と、
一方の側部が前記前枠の一方の側部に支持された状態で前記前枠の前面側に揺動開閉可能に取り付けられ、閉鎖状態において遊技盤を視認可能なガラス扉と、
前記ガラス扉を前記前枠に対し閉鎖状態で施錠可能な施錠装置と、
前記ガラス扉が前記前枠に対し閉鎖されると前記ガラス扉に当接し、閉鎖状態の前記ガラス扉に対して前記ガラス扉が開放する方向へ付勢力を加えるように構成された付勢手段とを備え、
前記施錠装置が、前記ガラス扉の他方の側部近傍に設けられた扉側係合部と、
前記扉側係合部と係合可能な枠側係合部を有して前記前枠の他方の側部近傍に設けられた昇降部材と、
前記前枠の他方の側部近傍に設けられ、前記昇降部材を、前記枠側係合部が前記扉側係合部と係合可能な係合位置と、前記枠側係合部と前記扉側係合部とが非係合状態となる非係合位置とに上下移動可能に支持する支持部材とを有し、
前記昇降部材を前記係合位置に移動させて前記枠側係合部と前記扉側係合部とを係合させることで、前記ガラス扉を前記前枠に対し閉鎖状態で施錠可能に構成されており、
前記支持部材における前記枠側係合部の近傍に、前記付勢手段が配設されていることを特徴とする弾球遊技機。
【請求項２】
前記支持部材が前記前枠の背面側に設けられており、
前記前枠の他方の側部近傍に、前記枠側係合部および前記付勢手段を前記前枠の前面側に露出させる露出孔が形成されていることを特徴とする請求項１に記載の弾球遊技機。
【発明の詳細な説明】
【技術分野】
【０００１】
本発明は、パチンコ機に代表される弾球遊技機に関し、さらに詳しくは、弾球遊技機に構成されるガラス扉を前枠に対して閉鎖保持するための構造に関する。
【背景技術】
【０００２】
弾球遊技機の代表例であるパチンコ機では、固定保持枠をなす外枠に、遊技盤を収容保持する前枠が開閉可能に支持される。遊技盤の前面には、遊技釘や入賞装置等が配設された遊技領域が形成されている。前枠の前面上部にはガラス扉が開閉可能に支持され、前枠に収容保持された遊技盤（遊技領域）がこのガラス扉を通して視認されるようになっている。
【０００３】
また、前枠は、パチンコ機の右側に設けられた施錠装置を用いて、常には外枠と係合連結された閉止状態に保持される。さらに、ガラス扉は、上述の施錠装置を用いて、常には前枠の前面を覆う閉止状態に保持される。このダブル錠と称される施錠装置は、鍵穴に鍵を差し込んで一方に回動させると前枠が解錠され、他方に回動させるとガラス扉が解錠されるようになっている（例えば、特許文献１を参照）。
【特許文献１】特開２００２−１５９７１１号公報
【発明の開示】
【発明が解決しようとする課題】
【０００４】
しかしながら、従来のパチンコ機においては、ガラス扉を前枠に対し閉鎖させたときにガラス扉の背面側縁部が前枠に当接する構成であったため、ガラス扉の寸法公差や変形により、閉鎖状態にあるガラス扉においてガタツキが生じ易くなっていた。
【０００５】
本発明は、このような問題に鑑みて成されたものであり、閉鎖状態におけるガラス扉のガタツキを防止した弾球遊技機を提供することを目的とする。
【課題を解決するための手段】
【０００６】
このような目的達成のため、本発明に係る弾球遊技機（例えば、実施形態におけるパチンコ機ＰＭ）は、遊技盤を収容保持する前枠と、一方の側部が前枠の一方の側部に支持された状態で前枠の前面側に揺動開閉可能に取り付けられ、閉鎖状態において遊技盤を視認可能なガラス扉と、ガラス扉を前枠に対し閉鎖状態で施錠可能な施錠装置と、ガラス扉が前枠に対し閉鎖されるとガラス扉に当接し、閉鎖状態のガラス扉に対してガラス扉が開放する方向へ付勢力を加えるように構成された付勢手段（例えば、実施形態における付勢部材７０）とを備えて構成される。
【０００７】
そして、このような弾球遊技機において、施錠装置が、ガラス扉の他方の側部近傍に設けられた扉側係合部（例えば、実施形態における第２受け具６６）と、扉側係合部と係合可能な枠側係合部（例えば、実施形態における第２フック部６５）を有して前枠の他方の側部近傍に設けられた昇降部材（例えば、実施形態における第２昇降作動杆６３）と、前枠の他方の側部近傍に設けられ、昇降部材を、枠側係合部が扉側係合部と係合可能な係合位置と、枠側係合部と扉側係合部とが非係合状態となる非係合位置とに上下移動可能に支持する支持部材（例えば、実施形態における基枠体５１）とを有し、昇降部材を係合位置に移動させて枠側係合部と扉側係合部とを係合させることで、ガラス扉を前枠に対し閉鎖状態で施錠可能に構成されており、支持部材における枠側係合部の近傍に、付勢手段が配設されている。
【０００８】
また、上述の発明において、支持部材が前枠の背面側に設けられており、前枠の他方の側部近傍に、枠側係合部および付勢手段を前枠の前面側に露出させる露出孔が形成されていることが好ましい。
【発明の効果】
【０００９】
本発明によれば、閉鎖状態のガラス扉に対してガラス扉が開放する方向へ付勢力を加えるように構成された付勢手段を備えているため、閉鎖状態のガラス扉において、ガラス扉の開放揺動は施錠装置で規制され、ガラス扉の閉鎖揺動は付勢手段で（ある程度）規制されることから、閉鎖状態におけるガラス扉のガタツキを防止することができ、ガラス扉の取付位置を安定させることができる。また、施錠装置の支持部材における枠側係合部の近傍に、付勢手段が配設されているため、枠側係合部に対する付勢手段の相対位置が前枠等に影響されず安定することから、閉鎖状態のガラス扉に加わる付勢力をほぼ一定にすることができる。
【００１０】
また、支持部材が前枠の背面側に設けられるとともに、前枠の他方の側部近傍に枠側係合部および付勢手段を前枠の前面側に露出させる露出孔が形成されることで、枠側係合部を除いた昇降部材や支持部材等を前枠の背面側に配置することが可能となり、施錠装置に対する不正行為を防止することができる。
【発明を実施するための最良の形態】
【００１１】
以下、本発明の好ましい実施形態について図面を参照しながら説明する。本発明に係る弾球遊技機の代表例としてパチンコ機ＰＭを図１〜図３に示している。ここで、図１はパチンコ機ＰＭを正面側から見た斜視図、図２はパチンコ機ＰＭのガラス扉および上球皿を開放して示す斜視図、そして図３はパチンコ機ＰＭの前枠を外枠に対して開放した状態を示す斜視図である。
【００１２】
パチンコ機ＰＭは、図１に示すように、外郭方形枠サイズに構成されて縦向きの固定保持枠をなす外枠１と、これに合わせた方形枠サイズに構成された開閉搭載用の前枠２とを主体に構成される。前枠２は、外枠１および前枠２の正面左側上下に配設されたヒンジ機構３ａ，３ｂにより前枠２の左側部が外枠１の左側部に支持された状態で、外枠１の開口前面に対し前方に揺動開閉及び着脱が可能に取り付けられ、正面右側に設けられたダブル錠と称される施錠装置５０を利用して常には外枠１と係合連結された閉止状態に保持される。
【００１３】
前枠２の前面上部には、ガラス扉５が左端部のヒンジ（図示せず）により（ガラス扉５の左側部が）前枠２の左側部に支持された状態で揺動開閉および着脱可能に取り付けられ、施錠装置５０により常には前枠２の前面を覆う閉止状態に保持される。ガラス扉５の背後に位置する前枠上部には、遊技盤１０の前面側を支持する前方支持部２１と、この前方支持部２１から後方に突出して遊技盤１０を着脱自在に収容する収容枠（図示せず）とが設けられており、この収容枠に立設姿勢で係止保持された遊技盤１０がガラス扉５を通して視認されるようになっている。
【００１４】
遊技盤１０は、図２に示すように、所定板厚の積層合板の表面にセルを貼り付けてルーター加工した化粧板１１を基板とし、内外のレール部１２，１３により囲まれて略円形状の遊技領域ＰＡが形成されるようになっている。遊技領域ＰＡには、何れも詳細図示省略するが、多数本の遊技釘とともに風車や各種の入賞装置、遊技の展開状況に応じた図柄を表示させる画像表示装置などの遊技構成部品が取り付けられ、遊技領域ＰＡの下端部にアウト口１８が設けられている。
【００１５】
外レール部１２は、前枠２側において下側が開いた円弧状に形成されており、遊技球発射装置２６から発射された遊技球を遊技領域ＰＡへ導くようになっている。内レール部１３は、右側が開いた円弧状に形成されており、遊技盤１０（化粧板１１）の前面において外レール部１２の左側部分に対し所定間隔を空けるように配設されることで、外レール部１２の左側部分との間に発射通路１５が形成されるようになっている。なお、この発射通路１５は、遊技球発射装置２６と遊技領域ＰＡとに通じており、遊技球が通過可能に構成されている。
【００１６】
前枠２の前面における上記ガラス扉５の下側には、遊技球を貯留する上球皿６がヒンジ機構（図示せず）により横開き開閉および着脱可能に取り付けられており、この上球皿６の下側には下球皿７および発射ハンドル８が取り付けられている。また、図２に示すように、上球皿６に前面側が覆われた前枠２の下部領域には遊技補助盤２５と称される補助機構部が形成されており、この遊技補助盤２５には、遊技盤１０の遊技領域ＰＡ内に遊技球を発射する遊技球発射装置２６等が設けられている。
【００１７】
前枠２の背面上部には、図３に示すように、外枠１の背面側における右上部内側の形状に合わせて逆Ｌ字形に形成された第１裏セット盤４０がヒンジ機構（図示せず）により横開き開閉および着脱可能に取り付けられ、常には前枠２の背面右上部を覆う閉鎖状態に保持される。第１裏セット盤４０には、遊技球を貯留するとともに貯留した遊技球を整列させて流下させる球貯留タンク４１、入賞状態等に基づいて遊技球を払い出す球払出装置４２、球払出装置４２から払い出された遊技球を上球皿６に導く球払出通路４３等の遊技球の処理機構が設けられている。
【００１８】
前枠２の背面下部には、前枠２の背面下部を覆う第２裏セット盤４５がヒンジ機構（図示せず）により横開き開閉および着脱可能に取り付けられ、常には前枠２の背面下部を覆う閉鎖状態に保持される。第２裏セット盤４５には、各制御装置および電子部品等に電力を供給する電源ユニット４６や、遊技球の払出作動を制御する球払出制御装置４７、パチンコ機ＰＭの作動を統括的に制御する主制御装置（図示せず）等が取り付けられており、これらが図示しないコネクタケーブルで接続されてパチンコ機ＰＭが作動可能に構成される。
【００１９】
次に、施錠装置５０について図４〜図１０を追加参照しながら説明する。ここで、図４は施錠装置５０の右側面図、図５は施錠装置５０の背面図、図６は施錠装置５０に構成される第２フック部６５の近傍を示す拡大斜視図である。また、図７は第２フック部６５の近傍を示す側断面図、図８はガラス扉５が開放状態にあるときの第２フック部６５の近傍を示す側断面図、図９はパチンコ機ＰＭの平断面図、そして図１０はガラス扉５が開放状態にあるときのパチンコ機ＰＭの平断面図である。
【００２０】
施錠装置５０は、図４および図５に示すように、前枠２の右側部背面側に固定配設された基枠体５１と、この基枠体５１に上下方向へ昇降移動自在に支持された第１昇降作動杆５３と、同じく基枠体５１に上下方向へ昇降移動自在に支持された第２昇降作動杆６３と、基枠体５１の前面側に固定配設され、図１に示すように前枠２前面の右側部側でガラス扉５の下方に鍵穴部６１が露出配設される錠６０等から構成されている。
【００２１】
基枠体５１は、図４および図５に示すように、例えば薄板板金材料を打ち抜き及びプレス成形して概略Ｌ字断面の所要形状に成形され、ネジ等の図示せぬ固定手段で前枠２の右側部背面側に固定配設される。図４に示すように、基枠体５１の下端部近傍には、外枠１の右内側面に設けられたレール（図示せず）上を転がり移動可能なローラ５２が配設されており、外枠１に対して前枠２を開閉し易いようになっている。
【００２２】
第１昇降作動杆５３は、図４に示すように、基枠体５１と同様の成形加工により板状に成形され、第１昇降作動杆５３の所定箇所に形成された第１の長穴部５３ａを嵌通して基枠体５１に固着された第１案内ピン５４を用いて、基枠体５１に対し上下方向へ昇降移動可能に取り付けられる。第１昇降作動杆５３の上下には、第１フック部５５，５５が後方へ延びるように形成されており、第１昇降作動杆５３が図４および図７に示す所定の第１係合位置へ移動したときに、外枠１の右内側面に設けられた上下の第１受け具５６，５６とそれぞれ係合可能に構成されている。
【００２３】
基枠体５１と第１昇降作動杆５３とに跨って第１付勢バネ５７が配設されており、第１昇降作動杆５３を常時下方、すなわち第１係合位置へ付勢するようになっている。このため、常には上下の第１フック部５５，５５が第１受け具５６，５６とそれぞれ係合して、外枠１に対し前枠２を閉鎖保持する施錠保持状態が維持され、図８に示すように、第１昇降作動杆５３を所定の第１非係合位置へ上方に移動させて上下の第１フック部５５，５５と第１受け具５６，５６との係合を解離させることで、前枠２を外枠１に対して開放させることができるように構成されている。
【００２４】
第２昇降作動杆６３は、図４に示すように、基枠体５１と同様の成形加工により板状に成形され、第２昇降作動杆６３の所定箇所に形成された第２の長穴部６３ａを嵌通して基枠体５１に固着された第２案内ピン６４を用いて、基枠体５１に対し上下方向へ昇降移動可能に取り付けられる。第２昇降作動杆６３の上下には、第２フック部６５，６５が前方へ延びるように形成されており、第２昇降作動杆６３が図４および図７に示す所定の第２係合位置へ上方に移動したときに、ガラス扉５の右内側面に設けられた上下の第２受け具６６，６６（図２も参照）とそれぞれ係合可能に構成されている。なお、図６に示すように、上下の第２フック部６５，６５はそれぞれ、前枠２における前方支持部２１の右側上下（右側部近傍）に形成された露出孔２２を通過して、前枠２の前方支持部２１より前方に突出して露出するようになっている。
【００２５】
図４に示すように、基枠体５１と第２昇降作動杆６３とに跨って第２付勢バネ６７が配設されており、第２昇降作動杆６３を常時上方、すなわち第２係合位置へ付勢するようになっている。このため、常には上下の第２フック部６５，６５が第２受け具６６，６６とそれぞれ係合して、前枠２に対しガラス扉５を閉鎖保持する施錠保持状態が維持され、図８に示すように、第２昇降作動杆６３を所定の第２非係合位置へ下方に移動させて上下の第２フック部６５，６５と第２受け具６６，６６との係合を解離させることで、ガラス扉５を前枠２に対して開放させることができるように構成されている。
【００２６】
また、第２フック部６５，６５の上方には、先端部が前方へ向かうにつれて上方に傾斜する突起部６８，６８が前方へ突出するようにそれぞれ形成されており、図８に示すように、第２昇降作動杆６３が第２非係合位置へ下方に移動したときに、上下の突起部６８，６８が第２フック部６５，６５との係合が解離された第２受け具６６，６６にそれぞれ当接して前方へ押圧し、ガラス扉５を前枠２に対して開放させるように構成されている。なお、上下の突起部６８，６８は、図６に示すように、前方支持部２１に形成された露出孔２２を通過して（前枠２の）前面側に露出するようになっている。
【００２７】
錠６０は一般に「ダブル錠」とも呼ばれている形態の錠が使用されている。この錠６０はいわゆる解錠操作型の錠であり、解錠操作が行われていない状態において錠６０の回動軸が中立角度位置に付勢保持されている。錠６０に適合する鍵が前枠前面に露出する錠６０の鍵穴部６１（図１を参照）に嵌挿される（差し込まれる）と、錠６０の回動軸が回動可能な状態に設定され、鍵を右回りまたは左回りの二方向に回動操作することが可能になる。図４および図５に示すように、この回動軸の軸端に解錠盤６２が固定されている。
【００２８】
解錠盤６２はカム盤とも称され、図５に示すように、薄板板金材料をプレス成形して図示するような二つの突出端部、すなわち第１突出端部６２ａおよび第２突出端部６２ｂを有する所定のカム形状に形成されている。このうち第１突出端部６２ａは前枠２を解錠させる作動端としての機能を有し、その先端上面が第１昇降作動杆５３に形成された第１係合穴部（図示せず）と係合可能に設定されている。また、第２突出端部６２ｂはガラス扉５を解錠させる作動端としての機能を有し、その先端下面が第１昇降作動杆に形成された第１係合穴部を通して第２昇降作動杆６３に形成された第２係合穴部（図示せず）と係合可能に設定されている。
【００２９】
このため、例えば、前枠前面側から鍵により右回り（時計回り）に解錠操作を行ったときには、解錠盤６２が図５における左回り（反時計回り）に回動され、第１突出端部６２ａの先端上面が第１昇降作動杆５３における第１係合孔部（図示せず）の開口端面と係合して第１昇降作動杆５３を上昇方向に移動可能となる。従って、この係合した位置から第１付勢バネ５７の付勢力に抗して第１昇降作動杆５３を第１非係合位置へ上方に移動させることにより、上下の第１フック部５５，５５を上方に移動させて第１受け具５６，５６との係合を解離させ、前枠２を外枠１に対して開放させることができる。
【００３０】
一方、前枠前面側から鍵により左回り（反時計回り）に解錠操作を行ったときには、解錠盤６２が図５における右回り（時計回り）に回動され、第２突出端部６２ｂの先端下面が第２昇降作動杆６３における第２係合穴部（図示せず）の開口端面と係合して第２昇降作動杆６３を下降方向に移動可能となる。従って、この係合した位置から第２付勢バネ６７の付勢力に抗して第２昇降作動杆６３を第２非係合位置へ下方に移動させることにより、上下の第２フック部６５，６５を下方に移動させて第２受け具６６，６６との係合を解離させるとともに、上下の突起部６８，６８を第２フック部６５，６５との係合が解離された第２受け具６６，６６に当接させ、ガラス扉５を前枠２に対して開放させることができる。
【００３１】
さて、図６に示すように、基枠体５１の前面における第２フック部６５，６５の下方近傍には、付勢部材７０，７０がそれぞれ配設されており、前方支持部２１に形成された露出孔２２を通過して（前枠２の）前面側に露出するようになっている。付勢部材７０は、図６および図８に示すように、ステンレス等の金属薄板を用いて、平板部７１およびアーチ部７２を有する板バネ状に形成され、リベット等（スポット溶接でもよい）の固定手段を用いて平板部７１が基枠体５１の前面に固定される。そして、上下の付勢部材７０，７０は、図４、図７および図９に示すように、ガラス扉５が施錠装置５０に閉鎖施錠された状態で、アーチ部７２がガラス扉５の右側部背面側に形成された上下のボス部５ａ，５ａに当接して弾性変形し、閉鎖状態のガラス扉５に対してガラス扉５が開放する方向へ付勢力（弾性力）を加えるように構成される。
【００３２】
このように構成されるパチンコ機ＰＭにおいて、ガラス扉５、上球皿６、第１および第２裏セット盤４０，４５等が閉鎖保持された状態で遊技に供され、上球皿６に遊技球を貯留させて発射ハンドル８を回動操作することにより遊技が開始される。そして、発射ハンドル８が回動操作されると、上球皿６に貯留された遊技球は、上球皿６の裏面側に位置する遊技球発射装置２６により１球ずつ遊技領域ＰＡに打ち出され、パチンコゲームが展開される。
【００３３】
ところで、図１に示すように外枠１に対し前枠２を閉鎖揺動させると、図４および図７に示すように、前枠２側の第１フック部５５，５５が外枠１側の第１受け具５６，５６とそれぞれ係合して、外枠１に対し前枠２を閉鎖保持する施錠保持状態が維持される。また、図１に示すように前枠２に対しガラス扉５を閉鎖揺動させると、図４および図７に示すように、前枠２側の第２フック部６５，６５がガラス扉５側の第２受け具６６，６６とそれぞれ係合して、前枠２に対しガラス扉５を閉鎖保持する施錠保持状態が維持される。
【００３４】
このとき、図４、図７および図９に示すように、上下の付勢部材７０，７０に形成されたアーチ部７２，７２がガラス扉５の上下のボス部５ａ，５ａと当接して弾性変形し、付勢部材７０により閉鎖状態のガラス扉５に対してガラス扉５が開放する方向へ付勢力（弾性力）が加えられる。これにより、閉鎖状態のガラス扉５において、ガラス扉５の開放揺動は施錠装置５０で規制され、ガラス扉５の閉鎖揺動は付勢部材７０で（ある程度）規制されることから、閉鎖状態におけるガラス扉５のガタツキを防止することができ、ガラス扉５の取付位置を安定させることができる。
【００３５】
さらに、図６に示すように、基枠体５１の前面における第２フック部６５，６５の下側近傍に、付勢部材７０，７０がそれぞれ配設されているため、第２フック部６５に対する付勢部材７０の相対位置が前枠等に影響されず安定することから、閉鎖状態のガラス扉５に加わる付勢力をほぼ一定にすることができる。また、前述したように、前枠２における前方支持部２１の右側上下（右側部近傍）に、第２フック部６５および付勢部材７０を前枠２の前面側に露出させる露出孔２２が形成されている（図６を参照）。そのため、第２フック部６５を除いた第２昇降作動杆６３や基枠体５１等を前枠２の背面側に配置することが可能となり、施錠装置５０に対する不正行為を防止することができる。
【００３６】
そして、錠６０に適合する鍵（図示せず）を錠６０の鍵穴部６１に差し込んで、鍵により右回り（時計回り）に解錠（回動）操作を行うと、前述のように、第１フック部５５，５５と第１受け具５６，５６との係合が解離されて前枠２が解錠され、図３に示すように前枠２を外枠１に対して開放させることができる。一方、鍵により左回り（反時計回り）に解錠（回動）操作を行うと、前述のように、第２フック部６５，６５と第２受け具６６，６６との係合が解離されてガラス扉５が解錠されるとともに、突起部６８，６８が第２フック部６５，６５との係合が解離された第２受け具６６，６６に当接し、図２および図１０に示すように、ガラス扉５を前枠２に対して開放させることができる。
【００３７】
以上に説明した本発明の実施形態において、達成される主要な効果を整理すれば、下記のようになる。
【００３８】
第１に、閉鎖状態のガラス扉５に対してガラス扉５が開放する方向へ付勢力を加えるように構成された付勢部材７０を備えているため、閉鎖状態のガラス扉５において、ガラス扉５の開放揺動は施錠装置５０で規制され、ガラス扉５の閉鎖揺動は付勢部材７０で（ある程度）規制されることから、閉鎖状態におけるガラス扉５のガタツキを防止することができ、ガラス扉５の取付位置を安定させることができる。
【００３９】
第２に、施錠装置５０の基枠体５１における第２フック部６５の近傍に、付勢部材７０が配設されているため、第２フック部６５に対する付勢部材７０の相対位置が前枠２等に影響されず安定することから、閉鎖状態のガラス扉５に加わる付勢力をほぼ一定にすることができる。
【００４０】
第３に、基枠体５１が前枠２の背面側に設けられるとともに、前枠２の右側部近傍に第２フック部６５および付勢部材７０を前枠２の前面側に露出させる露出孔２２が形成されることで、第２フック部６５を除いた第２昇降作動杆６３や基枠体５１等を前枠２の背面側に配置することが可能となり、施錠装置５０に対する不正行為を防止することができる。
【００４１】
なお、上述の実施形態において、基枠体５１の前面における第２フック部６５，６５の下側近傍に、２つの付勢部材７０，７０がそれぞれ配設されているが、これに限られるものではなく、例えば、付勢部材７０が３個以上設けられてもよく、基枠体５１における第２フック部６５の近傍に設けられていればよい。
【００４２】
また、上述の実施形態において、基枠体５１と別体に形成された付勢部材７０が基枠体５１の前面に固定されているが、これに限られるものではなく、例えば、切り起こし等により、付勢部材が基枠体と一体に形成されるようにしてもよい。
【００４３】
さらに、上述の実施形態において、施錠装置５０がパチンコ機ＰＭの右側に配設されているが、これに限られるものではなく、パチンコ機ＰＭの左側に配設されてもよい。なおこのとき、前枠２（右側部）が外枠１の右側部に開閉可能に支持されるとともに、ガラス扉５や上球皿６（右側部）が前枠２の右側部に開閉可能に支持されていることが好ましい。
【００４４】
また、上述の実施形態において、本発明に係る弾球遊技機としてパチンコ機ＰＭを例に説明しているが、これに限られるものではなく、例えば、アレンジボール機や雀球遊技機等の弾球遊技機に対しても本発明を適用することができる。
【図面の簡単な説明】
【００４５】
【図１】本発明に係る弾球遊技機の一例であるパチンコ機を正面側から見た斜視図である。
【図２】パチンコ機のガラス扉および上球皿を開放して示す斜視図である。
【図３】パチンコ機の前枠を外枠に対して開放した状態を示す斜視図である。
【図４】パチンコ機に構成される施錠装置の右側面図である。
【図５】施錠装置の背面図である。
【図６】施錠装置に構成される第２フック部の近傍を示す拡大斜視図である。
【図７】第２フック部の近傍を示す側断面図である。
【図８】ガラス扉が開放状態にあるときの第２フック部の近傍を示す側断面図である。
【図９】パチンコ機の平断面図である。
【図１０】ガラス扉が開放状態にあるときのパチンコ機の平断面図である。
【符号の説明】
【００４６】
ＰＭ  パチンコ機（弾球遊技機）
ＰＡ  遊技領域
１  外枠
２  前枠
５  ガラス扉（５ａ  ボス部）
１０  遊技盤
２１  前方支持部
２２  露出孔
５０  施錠装置
５１  基枠体（支持部材）
６３  第２昇降作動杆（昇降部材）
６５  第２フック部（枠側係合部）
６６  第２受け具（扉側係合部）
７０  付勢部材（付勢手段）
【図１】
2007089798.tif 000003
【図２】
2007089798.tif 000004
【図３】
2007089798.tif 000005
【図４】
2007089798.tif 000006
【図５】
2007089798.tif 000007
【図６】
2007089798.tif 000008
【図７】
2007089798.tif 000009
【図８】
2007089798.tif 000010
【図９】
2007089798.tif 000011
【図１０】
2007089798.tif 000012